(57)【要約】【課題】本発明の目的は、水棒カバーをゴムロールに装着する際、簡便に装着しやすくする方法を提供するものである。【解決手段】ゴムロールに親水性繊維で織成された水棒カバーを装着する円筒状水棒カバー装着方法において、ゴムロールのロール部表面を少なくともロール接触面と反対側が滑性を有するフィルムで被覆し、水棒カバーを該フィルム上を滑らせて装着した後、該フィルムだけ引き抜くことを特徴とする円筒状水棒カバー装着方法。【選択図】  図１
2006272715.tif 000002
【特許請求の範囲】
【請求項１】
ゴムロールに親水性繊維で織成された水棒カバーを装着する円筒状水棒カバー装着方法において、ゴムロールのロール部表面を少なくともロール接触面と反対側が滑性を有するフィルムで被覆し、水棒カバーを該フィルム上を滑らせて装着した後、該フィルムだけ引き抜くことを特徴とする円筒状水棒カバー装着方法。
【発明の詳細な説明】
【技術分野】
【０００１】
本発明は円筒状水棒カバー装着方法に関し、更に詳しくはゴムロールへの円筒状水棒カバーの装着を簡便に装着する円筒状水棒カバー装着方法に関するものである。
【背景技術】
【０００２】
出版、商業印刷において高速作業性、生産性の点からオフセット印刷が広く利用されている。オフセット印刷はアルミ板上に描画された画像部と非画像部の親水性の違いを利用して印刷する方法であり、従ってオフセット印刷において版面に供給される水（以下、給湿液）の種類、量は最終的な印刷品質に大きな影響を及ぼす。
【０００３】
オフセット印刷において良好な作業性、良好な印刷品質を得るために給湿液用希釈液に関しては種々の検討が行われている。
【０００４】
印刷機においても給湿液を版面へ供給する機構は印刷機製造会社の設計思想のもとに種々の検討がなされている（例えば、非特許文献１参照）。オフセット印刷において、間欠的に版面への給水が行われる呼び出し給水方式は、給湿液が多い部分と少ない部分とで品質的なばらつきがあり、また印刷機の高速化には不向きである。そのため、現在においては版面に連続的に給湿液を付与する版面給水方式連続給水型と呼ばれる方式が主に用いられている。
【０００５】
この版面給水方式連続給水型については親水性繊維表面を持つロールと他のロールを組み合わせて版面に給湿を行うものがある。水着けロールあるいはモルトンロールと呼ばれるこの種のロールは印刷中常に大量の水分を保持しており、繊維が他のロールとの摩擦により抜けてしまい、印刷品質に重大な影響を及ぼすことがあった。モルトンロールについては印刷適性改良のために種々の検討がなされている（例えば、特許文献１〜４参照）。
【０００６】
このモルトンロールは鉄芯にゴムあるいは樹脂を巻き付けたロールに水棒カバーと呼ばれる布で織成された筒状の織物を装着して形成されている（例えば、特許文献５参照）。
【０００７】
このモルトンロールにおいて、筒状水棒カバーとゴムロールとが密着していないとロールが回転せず、結果として印刷品質の低下が起こってしまうために筒状水棒カバーとゴムロールの直径はほぼ同径になるように設計してある。また、これらのゴムロールは回転中に水棒カバーと密着して回転するようにゴムロールと水棒カバーとの摩擦が大きくなるように設計されている。
【０００８】
このモルトンロールの表面を形成する筒状の水棒カバーは余分な水分を掻き落とすために他の金属ロールあるいはゴムロールと接触しているため、使用しすぎると水棒カバーが破れてしまう。
【０００９】
そのため、この水棒カバーを交換する必要があるが、筒状水棒カバーとゴムロールの直径がほぼ同じであるため、またゴムロールと水棒カバーとの摩擦が大きくなるために、筒状水棒カバーはゴムロールに装着しにくく、装着した際にさらに前後左右にずらして均一に調整するのが非常に困難であり、生産性を低下させる一因であった。
【特許文献１】特公昭４７−２９６５０号公報
【特許文献２】特公昭４７−２９６５１号公報
【特許文献３】特公昭５０−３３４４８号公報
【特許文献４】米国特許第４６７５２２０号明細書
【特許文献５】特許第２５１９６０５号公報
【発明の開示】
【発明が解決しようとする課題】
【００１０】
本発明の目的は、水棒カバーをゴムロールに装着する際、簡便に装着しやすくする方法を提供するものである。
【課題を解決するための手段】
【００１１】
本発明者らは、上記に鑑み鋭意検討した結果、本発明における水棒ロールをゴムロールに簡便に装着する方法を発明した。
【００１２】
即ち、本発明は、ゴムロールに親水性繊維で織成された水棒カバーを装着する円筒状水棒カバー装着方法において、ゴムロールのロール部表面を少なくともロール接触面と反対側が滑性を有するフィルムで被覆し、水棒カバーを該フィルム上を滑らせて装着した後、該フィルムだけ引き抜くことを特徴とする円筒状水棒カバー装着方法である。
【発明の効果】
【００１３】
本発明における方法を用いた場合、簡便に水棒カバーをゴムロールに装着することができる。
【発明を実施するための最良の形態】
【００１４】
以下、本発明の簡便に水棒カバーをゴムロールに装着する方法ついて詳細に説明する。  本発明は水棒カバーをゴムロールに装着する際、簡便に装着でき、且つ調整を容易にすることにあるが、このような本発明の実施様態の１例を図１を用いて説明する。
【００１５】
図１において、１はフィルムである。本発明に係るフィルム２は少なくともロール接触面と反対側、すなわち水棒カバー４を滑らせる面、が滑性を有する。これは、本発明に係るフィルム２上を水棒カバー４を滑らせ、水棒カバー４の装着を容易ならしめるために必要である。一方、水棒カバー４をフィルム２上を滑らせて装着する際に、フィルム２がロール上を滑ってずれてしまうと、フィルム２からのロール露出面では水棒カバー４が滑りにくくなってしまうので、フィルム２のロール接触面側には滑性は特に必要としないが、水棒カバー４装着後のフィルムの引き抜きを考慮すれば、水棒カバー４装着時にフィルム２がロール上を滑ることがない限り、フィルム２のロール接触面側に粘着層（接着層）を設けたり、粗面化処理等の耐滑処理を施す必要もない。
【００１６】
尚、本発明における「滑性を有する」とは、水棒カバー４を装着する際、ゴムロール表面を直接滑らせるよりフィルム２を介する方が水棒カバー４の滑りがよく、水棒カバー４を装着している間にフィルム２がゴムロール１からずれることのない程度をいう。したがって、水棒カバー４を装着している間にフィルム２がゴムロール１からずれるようなフィルムであれば、本発明に係る「滑性を有する」ことにはならないが、その場合は、フィルム２のロール接触面と反対側に滑剤を塗布するなどして滑性を向上させれることで、本発明に係るフィルムとして用いることができる。滑剤としては、ポリオレフィン系、ワックス系、シリコーン系、フッ素系等の従来公知のものが挙げられる。
【００１７】
本発明に係るフィルム２でゴムロール１のロール部表面を被覆するが、ロール長さ（ゴムロール１のゴムロール鉄芯３部分を除いた長さ）に対してフィルム２の長さは、ロール部表面の非被覆部分で水棒カバー４の滑りが著しく悪化する関係から、約１倍以上が好ましく、水棒カバーの装着後にフィルムだけ引き抜くことを考慮すれば、引き抜きのための余剰部分を少なくともフィルム引き抜き方向側に設けておくことがより好ましい。しかしながら、ロール長さに対しフィルム２の長さを不必要に長くしても水棒カバー４の装着のし易さは向上しないし、却ってフィルム２のみ引き抜く際に引き抜きにくくなるので、２倍程度までが好ましい。
【００１８】
また、ロール円周長さに対するフィルム２の長さ（フィルム円周長さ）も約１倍以上が好ましい。本発明に係るフィルム２として、シート状（非円筒状）のものを用いる場合は、フィルム２をロール部表面に巻き付けた時にその一部が重なってもよい。円筒状のフィルムを用いる場合は、ロール径より多少大きな内径のものが好ましい。両者の径が同程度であると、円筒状フィルム内にゴムロールを挿入する際、挿入し難くなる。一方、ロール径より円筒状フィルムの内径が大きくなると、水棒カバー４の装着時にフィルム２にしわが発生するが、これは差し支えない。しかし、水棒カバー４の装着に伴って、円筒状フィルムが水棒カバー４の装着方向にすれることがあるので、予め円筒状フィルムの端部ゴムロール鉄芯等に固定しておくことが好ましい。シート状フィルムについても同様である。
【００１９】
本発明に係るフィルム２は、公知の方法で製造されたもので、材質はポリエチレン、ポリプロピレン等のポリオレフィン、ポリエチレンテレフタレート等のポリエステル、ポリ塩化ビニル、ポリ塩化ビニリデン、ポリアミド、ポリカーボネート、ポリフェニレンスルフィド等の公知のものが使用できる。また、ロール接触面側に耐滑性を持たせ、ロール接触面と反対側に滑性を持たせるなどの理由で、同材質または材質の異なる２層以上でフィルムを構成してもよい。
【００２０】
本発明に係るフィルム２は、水棒カバー４の装着中または装着後、破れないような強度を有する厚みが必要があり、強度はフィルムの材質によって異なるが、数μｍ〜数ｍｍ程度であり、より好ましくは数十μｍ〜数百μｍである。
【００２１】
次に、図２にフィルム２上を水棒カバー４を滑らせてを装着した後、フィルム２だけ矢印方向に引き抜いている状態を示す。フィルム２の引き抜きに際しては、水棒カバー４の挿入方向の反対側を保持しておくことが好ましい。また、ゴムロール１が長い場合等で、フィルム２を一方向に引き抜くことが困難であれば、フィルム２に切れ目（ミシン目）等の易分離手段を設けておき、引き抜き時にフィルム２を分離して、両方向から引き抜いてもよい。
【００２２】
フィルム２を完全に引き抜いたら、従来と同様に水棒カバー４を伸ばした後に両端を窄めて縛るか、ゴムロール鉄芯に固定して、水着け供給ロール（モルトンロール）ができあがる。
【図面の簡単な説明】
【００２３】
【図１】ゴムロールを被覆したフィルム上を水棒カバーを滑らせて装着する概念図である。
【図２】水棒カバー装着後、フィルムだけ引き抜いて装着する概念図である。
【符号の説明】
【００２４】
１  ゴムロール
２  フィルム
３  ゴムロール鉄芯
４  水棒カバー
【図１】
2006272715.tif 000003
【図２】
2006272715.tif 000004